(57)【要約】【課題】本発明は共通のカード挿入口を通して長さが相違する第１のカード及び第２のカードが選択的に装着可能であるカード用コネクタに関し、カード挿入口側に配置してあり、第１のカードが挿入抜去する操作過程において第１のカードの先端部が当たる第２のコンタクトのコンタクト部を保護するようにすることを課題とする。【解決手段】奥側底板部分５２より開口窓５４内に向かって斜め下向きに張り出した案内面部５８を有する。この案内面部５８は、長さが短い第２のカード２０とは干渉しないで、長さが長い第１のカード１０の先端を迫り上げて奥側底板部分５２に案内する。これによって、第１のカード１０の先端部はコンタクト部１００ａを円滑に乗り越える。第１のカード１０を引き出すときには、第１のカード１０の先端部１５が案内面部５８によって支え続けられ、第１のカード１０の先端部１５のＺ２方向への下降は、徐々に行われ、第１のカード１０の先端部はコンタクト部１００ａの上側を円滑に通過する。【選択図】図８
2008077875.tif 000002
【特許請求の範囲】
【請求項１】
共通のカード挿入口と、
前記カード挿入口に近い側のカード挿入口側底板部分と、
該カード挿入口側底板部分に配置してある第２のコンタクト部材と、
該カード挿入口側底板部分より奥側に位置しており、前記カード挿入口側底板部分よりも高く配置してある奥側底板部分と、
該奥側底板部分に配置してある第１のコンタクト部材とを有し、
短い長さを有する第２のカードと長い長さを有する第１のカードとが前記カード挿入口に選択的に挿入されて、前記第２のカードが前記第２のコンタクト部材と電気的に接続されて且つ前記カード挿入口側底板部分に装着され、前記第１のカードが前記第１のコンタクト部材と電気的に接続されて且つ前記奥側底板部分に装着される構成のカード用コネクタであって、
前記奥側底板部分より前記カード挿入口側底板部分の方向に向かって斜め下向きに張り出しており、挿入される前記第１のカードの先端を前記奥側底板部分に案内する案内面部を有する構成としたことを特徴とするカード用コネクタ。
【請求項２】
請求項１に記載のカード用コネクタにおいて、
前記カード挿入口側底板部分と前記奥側底板部分との間に開口窓を有し、
前記案内面部は、前記奥側底板部分より前記開口窓内に張り出している構成としたことを特徴とするカード用コネクタ。
【請求項３】
請求項１に記載のカード用コネクタにおいて、
前記第１のカード及び第２のカードの側面を案内する側板部を有し、
前記カード挿入口側底板部分と前記奥側底板部分との間に開口窓を有し、
前記案内面部は、前記奥側底板部分より前記開口窓のうちのコーナに張り出して且つ前記側板部と繋がっている構成としたことを特徴とするカード用コネクタ。
【請求項４】
請求項３に記載のカード用コネクタにおいて、
前記案内面部は、三角形状である構成としたことを特徴とするカード用コネクタ。
【請求項５】
請求項１乃至４のうち何れか一項に記載のカード用コネクタにおいて、
前記案内面部の前記第１のカード及び第２のカードの挿入する方向の傾斜角度は、前記奥側底板部分のうち前記開口窓側の傾斜面の傾斜角度よりも小さいことを特徴とするカード用コネクタ。
【発明の詳細な説明】
【技術分野】
【０００１】
本発明はカード用コネクタに係り、特に、ディジタルカメラ等の電子機器に組み込まれ、第１のカード及び第２のカードが選択的に装着可能であり、二種類のカードに適用可能である構成のカード用コネクタに関する。
【背景技術】
【０００２】
ディジタルカメラ、携帯オーディオ機器、携帯電話機、電子複写機等の電子機器にはカード用コネクタが組み込んであり、電子機器は、半導体記憶素子が内蔵してあるカードをカード用コネクタに装着された状態で使用される。
【０００３】
現在、カードは複数種類存在している。よって、電子機器を複数種類のカードに適用可能な構成にしようとする場合には、通常は、電子機器に、第１のカードに専用の第２のカードコネクタと、第２のカードに専用の第２のカードコネクタとを並べて組み込んだ構成となる。しかし、小型化が求められている電子機器においては、カード用コネクタを２つ組み込むことは望ましくない。
【０００４】
この問題を解決するカード用コネクタとして、二種類のカードに適用可能である構成としたカード用コネクタが、特開２００１−２２３０４４号公報に示されている。
【０００５】
このカード用コネクタは、一つのカード挿入口から第１のカード及び第２のカードのいずれもが選択的に挿入されて装着可能である構成である。第１のカードの長さは第２のカードよりも長い。
【０００６】
このカード用コネクタは、ハウジングの内部に、第１のカードの接点に対応する第１のコンタクト部材及び第２のカードの端子に対応する第２のコンタクト部材を配置してなり、第１のカードが挿入されると、その端子が第１のコンタクト部材に接触した状態となって、第２のカードが挿入された場合には、その端子が第２のコンタクト部材に接触した状態となって、第２のカードが装着される構成である。
【特許文献１】特開２０００−１９６３２７号公報
【発明の開示】
【発明が解決しようとする課題】
【０００７】
しかし、第１のカードを挿入する場合に第２のコンタクト部材が挿入される第１のカードによって無用に曲げられてしまわないように保護する対策が十分ではなかった。
【０００８】
そこで、本発明は、上記課題を解決したカード用コネクタを提供することを目的とする。
【課題を解決するための手段】
【０００９】
請求項１の発明は、
共通のカード挿入口と、
前記カード挿入口に近い側のカード挿入口側底板部分と、
該カード挿入口側底板部分に配置してある第２のコンタクト部材と、
該カード挿入口側底板部分より奥側に位置しており、前記カード挿入口側底板部分よりも高く配置してある奥側底板部分と、
該奥側底板部分に配置してある第１のコンタクト部材とを有し、
短い長さを有する第２のカードと長い長さを有する第１のカードとが前記カード挿入口に選択的に挿入されて、前記第２のカードが前記第２のコンタクト部材と電気的に接続されて且つ前記カード挿入口側底板部分に装着され、前記第１のカードが前記第１のコンタクト部材と電気的に接続されて且つ前記奥側底板部分に装着される構成のカード用コネクタであって、
前記奥側底板部分より前記カード挿入口側底板部分の方向に向かって斜め下向きに張り出しており、挿入される前記第１のカードの先端を前記奥側底板部分に案内する案内面部を有する構成としたことを特徴とする。
【発明の効果】
【００１０】
案内面部が存在することによって、第１のカードを装着するときには、第１のカードの先端部分は、案内面部が存在していない構成に比較して、早い段階で案内され始めて上方へ変位され、よって、挿入される第１のカードによって第２のコンタクト部材が撓まされる量を従来に比べて少なくすることが出来、第１のカードの先端部分の第２のコンタクトへの当たりが弱くなって、第２のコンタクトの傷みを従来に比べて軽減出来る。また、案内面部の寸法形状によっては、第１のカードが第２のコンタクト部材に接触しないようにすることも出来る。第１のカードを引き抜くときには、案内面部が存在することによって、第１のカードの先端の下方への変位が遅れ、第２のコンタクト部材が撓まされる量を従来に比べて少なくすることが出来、第２のコンタクトの傷みを従来に比べて軽減出来る。また、案内面部の寸法形状によっては、第１のカードが第２のコンタクト部材に接触しないようにすることも出来る。
【発明を実施するための最良の形態】
【００１１】
次に本発明の実施の形態について説明する。
【実施例１】
【００１２】
各図中、Ｘ１−Ｘ２は幅方向、Ｙ１−Ｙ２は長手方向、Ｚ１−Ｚ２は厚さ（高さ）方向である。
【００１３】
先ず、カード用コネクタに装着される第１、第２のカードについて説明する。
【００１４】
図１は第１のカード１０をその裏面側を見上げて示す。第１のカード１０は、メモリスティク（商標）であり、内部にＩＣメモリを有し、長さＬ１、幅Ｗ１，厚さＴ１を有し、裏面１１、表面１２、側面部１３，１４、先端部１５、後端部１６を有し、且つ、裏面１１のうち先端部１５側に、複数の端子１７がリブ１８によって仕切られて幅方向に並んでいる構成である。Ｌ１ａは後端部１６から端子１７までの寸法である。第１のカード１０には、向きを識別するための切欠き部１９ａが、先端部１５のうちＸ２側に形成してある。第１のカード１０の先端部１５のうちＸ１側は、角部１９ｂである。ＣＬ１０は第１のカード１０のＹ１−Ｙ２方向に延在する中心線である。
【００１５】
図２は第２のカード２０をその裏面側を見上げて示す。第２のカード２０は、ＳＤカード（商標）であり、内部にＩＣメモリを有し、長さＬ２、幅Ｗ２，厚さＴ２を有し、裏面２１、表面２２、側面部２３，２４、先端部２５、後端部２６を有し、且つ、裏面２１のうち先端部２５側に、複数の端子２７がリブ２８によって仕切られて幅方向に並んでいる構成である。側面部２３，２４には、ガイドリブ２３ａ，２４ａが形成してある。Ｌ２ａは後端部２６から端子２７までの寸法である。第２のカード２０には、向きを識別するための切欠き部２９が、先端部２５のうちＸ１側に形成してある。ＣＬ２０は第２のカード２０のＹ１−Ｙ２方向に延在する中心線である。
【００１６】
第１のカード１０と第２のカード２０とは、幅Ｗ１とＷ２とは略同じであり、且つ、厚さＴ１とＴ２とも略同じであるけれども、長さＬ１が長さＬ２の約２倍と長く、主に、長さが相違している。また、向きを識別するための切欠き部１９ａ、２９の位置が相違している。
【００１７】
第１、第２のカード１０、２０において、Ｙ１はカード用コネクタへ挿入する方向であり、Ｙ２は引き抜き方向である。
［第１実施例］
図３は本発明の第１実施例のカード用コネクタ３０を第１、第２のカード１０、２０と対応させて示す。
［カード用コネクタ３０の概略］
カード用コネクタ３０は、図３に示すように、コンタクト部材付きハウジング４０を金属板製のカバー部材３５で覆った構造であり、長さＬ１０、幅Ｗ１０、高さＨ１０の偏平の直方体形状を有し、内部に、第１及び第２のカード用コンタクト部材を有し、Ｙ２側に、第１、第２のカード１０、２０に共通である一つのカード挿入口３１を有する。また、カード用コネクタ３０は、内部に、カード挿入口３１と連通しており、第１、第２のカード１０、２０に共通である一つのカード収容空間３２を有する。
【００１８】
カード用コネクタ３０は、コンタクト部材の端子部及びカバー部材の端子部を半田付けしてプリント基板３７上に実装してあり、カード挿入口３１が電子機器の外形の表面に露出している。
【００１９】
図４（Ａ）、（Ｂ）、（Ｃ）は、第１のカード１０の装着位置と第２のカード２０の装着位置との関係を示す。Ｚ１側から見て、第１のカード１０と第２のカード２０とは略同じ位置に、Ｙ２及びＸ１側から見て、第１のカード１０はカード収容空間３２のＺ１側寄りの部位に、第２のカード２０は、カード収容空間３２のＺ２側寄りの部位に装着される。カード用コネクタ３０内の装着されたカードを収容する空間の一部が、第１のカード１０と第２のカード２０とで共通に利用されている。また、図４（Ｃ）に示すように、第１のカード１０と第２のカード２０とはその中心線ＣＬ１０、ＣＬ２０が寸法δ（約０．５ｍｍ）食い違えて位置している。これによって、カード用コネクタ３０内における第１のカード１０の端子１７の位置と第２のコンタクト部材１００の位置とをＸ方向上ずれた位置関係とし、リブ１８が端子１７上を滑り、端子１７がコンタクト部１００ａと接触してしまうことが回避される。
【００２０】
また、上記のカード用コネクタ３０は、取り出す操作は、操作者が指で各カードをその後部を掴んで引き出すことによってなされるようにしてある。よって、装着された状態で、第１、第２のカード１０、２０の後端部１６、２６の部分が掴みしろの部分１０ａ，２０ａとしてカード挿入口３１より突き出ている。
【００２１】
本発明は、図４（Ｃ）中、二点鎖線で示す三角形の領域３９、即ち、装着された第２のカード２０の切欠き部２９に対向する領域に、案内面部５８を形成し、この案内面部５８を、第１のカード１０を挿入するときの第１のカード１０のＺ１方向への案内に利用し、第１のカード１０を引き抜くときには、第１のカード１０のＺ２方向への案内に利用するようにしてある点に特徴を有する。
［カード用コネクタ３０の構成］
図５はカード用コネクタ３０の正面図、図６はカード用コネクタ３０の縦断側面図である。図７はカバー部材３５（図３参照）を取り外した状態のカード用コネクタ３０の平面図、図８及び図９はカバー部材３５を取り外した状態のカード用コネクタ３０を異なる方向から見て示す斜視図である。図１０（Ａ）、（Ｂ）、図１１（Ａ）乃至（Ｄ）、図１２はコンタクト部材を省略した状態のハウジング４０を示す。図１２は図１１（Ｂ）中、XII-XII線に沿う断面図である。
【００２２】
カード挿入口３１はハウジング４０とカバー部材３５とによって形成されている。
【００２３】
ハウジング４０は、底板部５０と、両側の側板部６０，７０と、奥部の壁部８０とを有し、合成樹脂製の成形部品であり、第１のカード用コンタクト部材９０及び第２のカード用コンタクト部材１００がインサート成形してある。
【００２４】
底板部５０は、カード挿入口に近い側のカード挿入口側底板部分５１と、奥側に位置している奥側底板部分５２とよりなる。奥側底板部分５２は、カード挿入口側底板部分５１より寸法ａ高くなっており（図１２参照）、後述するように第１のカード１０を支持する。カード挿入口側底板部分５１は後述するように第２のカード２０を支持する。カード挿入口側底板部分５１には、カード挿入口側に開口窓５３、奥側に開口窓５４が形成してある。奥側底板部分５２には、開口窓５５、誤挿入防止用突起部５６が形成してある。奥側底板部分５２のＹ２端は傾斜面５７としてある。傾斜面５７の下側の縁５７ａのＺ方向の高さと、カード挿入口側底板部分５１の上面のＺ方向の高さとは同じである。奥側底板部分５２のＹ２端のうちＸ１側の三角形の領域に、案内面部５８が形成してある。この案内面部５８については後述する。
【００２５】
側板部６０は、後述するように第１のカード１０のＸ１側の側面部１４を案内し、且つ、第２のカード２０のガイドリブ２４ａを案内する。
【００２６】
特に図８、図１０（Ａ）、図１２に示すように、側板部６０の内側面のうちカード挿入口側の部分には、凹み部が形成されて、相対的に複数の突起部が形成してある。複数の突起部は、Ｚ１側に位置してＹ方向に整列している突起部群６１と、Ｚ２側に位置してＹ方向に整列している突起部群６２とよりなる。突起部群６１と突起部群６２との間には、第２のカード２０のガイドリブ２４ａを案内するガイド溝６３が形成してある。突起部群６１を構成する複数の突起部のうちカード挿入口３１に一番近い位置の突起部６４は、そのＺ２側に傾斜面６４ａを有する。この傾斜面６４ａは、第２のカード２０のガイドリブ２４ａをガイド溝６３に導く。
【００２７】
側板部７０は、後述するように第１のカード１０のＸ２側の側面部１３を案内し、且つ、第２のカード２０のガイドリブ２３ａを案内する。
【００２８】
特に図９及び図１０（Ａ）に示すように、側板部７０の内側面のうちカード挿入口側の部分には、凹み部が形成されて、相対的に複数の突起部が形成してある。複数の突起部は、Ｚ１側に位置してＹ方向に整列している突起部群７１と、Ｚ２側に位置してＹ方向に整列している突起部群７２とよりなる。突起部群７１と突起部群７２との間には、第２のカード２０のガイドリブ２３ａを案内するガイド溝７３が形成してある。突起部群７１を構成する複数の突起部のうちカード挿入口３１に一番近い位置の突起部７４は、そのＺ２側に傾斜面７４ａを有する。この傾斜面７４ａは、第２のカード２０のガイドリブ２３ａをガイド溝７３に導く。
【００２９】
また、側板部７０には、第２のカード用ライトプロテクトスイッチ可動接点部材７５、第２のカード検出用コンタクト部材７６等が取り付けてある。
【００３０】
図８及び図９に示すように、第１のカード用コンタクト部材９０は、壁部８０を貫通して並んで設けてあり、そのコンタクト部９０ａは、開口窓５５内に並んでおり、その端子部９０ｂは、ハウジング４０の外側に並んでいる。
【００３１】
同じく図８及び図９に示すように、第２のカード用コンタクト部材１００は、底板部分５１を貫通して並んで設けてあり、そのコンタクト部１００ａは、開口窓５４内に並んでおり、その端子部１００ｂは、開口窓５３内に並んでいる。
［案内面部５８の構成］
次に案内面部５８について説明する。図１３に拡大して示すように、案内面部５８は奥側底板部分５２より開口窓５４内のうちＸ１とＹ１とのコーナに張り出しており、且つ側板部６０の内側面と繋がっており、機械的に十分な強度を有している。また、案内面部５８は、傾斜面５７の下側の縁５７ａよりもＹ２方向に張り出ている。
【００３２】
案内面部５８は点Ｐ１と点Ｐ２と点Ｐ３とを結ぶ三角形である。点Ｐ１は傾斜面５７の上端が側板部６０と交差する点であり、点Ｐ２、点Ｐ３よりも高い位置にある。点Ｐ２は傾斜面５７の下端の位置であり、側板部６０よりＸ２側にシフトした位置にある。点Ｐ３は、点Ｐ２と同じ高さであり、側板部６０の内側面上であって傾斜面５７よりもＹ２側にシフトした位置である。点Ｐ１、点Ｐ２、点Ｐ３のＺ軸の座標をｚ１，ｚ２，ｚ３とすると、ｚ１>ｚ２，ｚ１>ｚ３、ｚ２＝ｚ３の関係にある。
【００３３】
よって、案内面部５８は、点Ｐ３から点Ｐ１に向かって辿るにつれて徐々に高くなり、且つ、点Ｐ２から点Ｐ１に向かって辿るにつれて徐々に高くなる傾斜した面である。また、点Ｐ３から点Ｐ１に向かう部分の傾斜の角度θ１は、前記の傾斜面５７の傾斜の角度θ２よりも小さい。
【００３４】
案内面部５８が開口窓５４のＸ１とＹ１とのコーナに張り出して形成出来ている理由、換言すれば、案内面部５８を開口窓５４のコーナに張り出して形成しても問題が起きない理由は、第２のカード２０の向きを識別するための切欠き部２９が先端部２５のうちＸ１側に形成してあり、この関係から、第２のカード用コンタクト部材１００のうち最もＸ１側に位置する第２のカード用コンタクト部材１００−１のコンタクト部１００−１ａの長さが他の第２のカード用コンタクト部材のコンタクト部の長さに比べて短くなっていることに因る。
【００３５】
図１３中、ハッチングを付して示す部分５９は、傾斜面５７の下側の縁５７ａよりもＹ２方向に張り出している部分である。
【００３６】
案内面部５８は、第２のカード２０に対しては、挿入される第２のカード２０とは干渉しないように形成してある。案内面部５８は、第１のカード１０に対しては、第１のカード１０が挿入されるときに、先端部２５を従来の場合よりも早くに迫り上げて奥側底板部分５２に案内し、第１のカード１０を引き出すときに、先端部２５を従来の場合よりも遅くまで支えて下方への変位を遅らせるように作用する。これによって、後述するように、第１のカード１０は第２のカード用コンタクト部材１００のコンタクト部１００ａを従来ほどには撓ませないでコンタクト部１００ａを乗り越える。
［第１のカード１０及び第２のカード２０の選択的な装着］
次に、上記のカード用コネクタ３０への第１のカード１０及び第２のカード２０の選択的な装着について説明する。
【００３７】
（１）第２のカード２０の装着
操作者は、図１４（Ａ）に示すように、第２のカード２０を、カード挿入口３１より、Ｙ１方向に押し込んで挿入する。挿入する位置はカード挿入口３１の内側のＺ１−Ｚ２方向上どこでもよい。
【００３８】
第２のカード２０は、ガイドリブ２４ａ、２３ａを夫々突起部６４、７４の傾斜面６４ａ、７４ａによって案内されてガイド溝６３、７３に導かれ、その後は、ガイドリブ２４ａ、２３ａを夫々ガイド溝６３、７３に案内されて、図１４（Ｂ）、（Ｃ）に示すように、ガイド溝６３、７３の終端に突き当たる最終位置まで差し込まれて、端子２７が第２のカード用コンタクト部材１００のコンタクト部１００ａと接触して電気的に接続されて、カード収容空間３２のうちＺ２側寄りの部位に装着される。
【００３９】
また、第２のカード用ライトプロテクトスイッチ可動接点部材５３と、第２のカード検出用コンタクト部材５４とが変形されて、スイッチが動作される（図７参照）。
【００４０】
なお、第２のカード２０は、案内面部５８と干渉しないで装着される。
【００４１】
また、操作者が第２のカード２０のうち突き出ている部分２０ａを掴んでＹ２方向に引き出すことによって、第２のカード２０はカード用コネクタ３０から取り出される。
【００４２】
（２）第１のカード１０の装着
操作者は、図１５（Ａ）に示すように、第１のカード１０を、カード挿入口３１より、Ｙ１方向に押し込んで挿入する。挿入する位置はカード挿入口３１の内側のＺ１−Ｚ２方向上どこでもよい。
【００４３】
第１のカード１０は、図１５（Ｂ）に示すように、側面部１４を側板部６０に案内され、側面部１３を側板部７０に案内されてカード挿入口３１内に挿入される。通常は、第１のカード１０は、カード収容空間３２のうちＺ２側寄りの部位に挿入される。
【００４４】
第１のカード１０が図１５（Ｃ）に示す途中の位置まで挿入されると、即ち、第１のカード１０の先端部１５が傾斜面５７に到達する少し手前の位置まで挿入されると、角部１９ｂが、図１３に示すように、案内面部５８のうちＹ２方向張り出し部分５９内の点であって、Ｙ２方向張り出し部分５９のうちのＹ２側の点Ｑ１に当たる。
【００４５】
第１のカード１０が更に挿入されると、図１３に示すように、角部１９ｂが案内面部５８を破線１１０に沿って点Ｑ２に向かって移動し、第１のカード１０の先端部１５は徐々にＺ１方向に上昇され、コンタクト部１００ａを乗り越えて、図１５（Ｄ）に示すように、奥側底板部分５２に円滑に乗りあがる。また、第１のカード１０の先端部１５は傾斜面５７に案内されることによっても奥側底板部分５２に円滑に乗りあがる。
【００４６】
ここで、第１のカード１０の先端部１５は、傾斜面５７に到達する少し手前の位置でＺ１方向への上昇を開始する。よって、第１のカード１０の先端部１５が傾斜面５７に到達してからＺ１方向への上昇を開始する場合に比較して、コンタクト部１００ａのＺ２方向への撓み量は小さくて足りる。よって、第１のカード１０の先端部１５は、コンタクト部１００ａを無用に傷めることなくコンタクト部１００ａを乗り越える。
【００４７】
また、案内面部５８の点Ｐ３から点Ｐ１に向かう部分の傾斜の角度θ１が前記の傾斜面５７の傾斜の角度θ２よりも小さいため、第１のカード１０の先端部１５のＺ１方向への上昇も、傾斜面５７で案内される場合に比較して円滑になされる。
【００４８】
その後は、第１のカード１０は、奥側底板部分５２上に支持されて挿入されて、最終位置まで差し込まれる。第１のカード１０が奥側底板部分５２上に支持された状態では、第１のカード１０の裏面１１は、コンタクト部１００ａから離れた高さ位置にある。
【００４９】
第１のカード１０は、図１５（Ｅ），（Ｆ）に示すように、端子１７が第１のカード用コンタクト部材９０のコンタクト部９０ａと接触して電気的に接続されて、カード収容空間３２のうちＺ１側寄りの部位に装着される。
【００５０】
また、操作者が第１のカード１０のうち突き出ている部分１０ａを掴んでＹ２方向に引き出すことによって、第１のカード１０はカード用コネクタ３０から取り出される。
【００５１】
図１６（Ａ）は第１のカード１０が途中まで引き出され、先端部１５が奥側底板部分５２から外れるときの状態を示す。
【００５２】
図１６（Ｂ）に示すように、角部１９ｂは案内面部５８に支持されつつ、上記とは逆に点Ｑ２より点Ｑ１に向かって移動し、Ｙ２方向張り出し部分５９に支持されつつ移動し、点Ｑ１に到り、その後に案内面部５８から離れる。
【００５３】
よって、第１のカード１０の先端部１５が傾斜面５７によって支持される場合に比較して、第１のカード１０の先端部１５は、第１のカード１０が更に引き出される状態まで支え続けられ、第１のカード１０の先端部１５のＺ２方向への下降は、徐々に行われ、且つ、長い時間に亘って行われる。
【００５４】
よって、第１のカード１０の先端部１５及びこの近傍の部分がコンタクト部１００ａの上側の部分を通過するときに、第１のカード１０の先端部１５及びこの近傍の部分がコンタクト部１００ａに接触する強さは弱く、コンタクト部１００ａをＹ２方向に引き寄せる力は弱く、コンタクト部１００ａに座屈は発生しない。また、コンタクト部１００ａの傷みも少ない。
［変形例］
上記カード用コネクタ３０は、上記の案内面部５８に代えて、別の案内面部が、奥側底板部分５２のＹ２側の縁のうちＸ方向上適当な箇所から、開口窓５４内に、第２のカード用コンタクト部材１００のコンタクト部１００ａと干渉しないように且つ挿入される第２のカード２０と干渉しないように、張り出して形成してある構成としてもよい。
【００５５】
また、上記の案内面部５８の形状をカード挿入口３１の方向に更に延在した形状とすることによって、挿入される第１のカード１０の先端部１５をより早い時点から迫り上げるように案内し、第１のカード１０の先端部分が第２のカード用コンタクト部材１００のコンタクト部１００ａをこれに接触しないで乗り越えるようにすることも可能である。この構成の場合には、第１のカード１０が第２のカード用コンタクト部材１００へ接触することで発生する虞れがある誤作動を防止することが出来る。
【図面の簡単な説明】
【００５６】
【図１】第１のカードをその裏面側を見上げて示す図である。
【図２】第２のカードをその裏面側を見上げて示す図である。
【図３】本発明の第1実施例になるカード用コネクタを第１、第２のカードと対応させて示す斜視図である。
【図４】装着された第１、第２のカードの位置関係を示す図である。
【図５】カード用コネクタの正面図である。
【図６】カード用コネクタの縦断側面図である。
【図７】カバー部材を取り外した状態のカード用コネクタの平面図である。
【図８】カバー部材を取り外した状態のカード用コネクタの斜視図である。
【図９】カバー部材を取り外した状態のカード用コネクタを別の方向から見て示す斜視図である。
【図１０】コンタクト部材を省略した状態のハウジングを示す斜視図である。
【図１１】コンタクト部材を省略した状態のハウジングを示す斜視図である。
【図１２】図１１（Ｂ）中、XII-XII線に沿うハウジングの断面図である。
【図１３】図８中、案内面部及びその周囲の部分を拡大して示す図である。
【図１４】第２のカードのカード用コネクタへの装着を説明するための図である。
【図１５】第１のカードのカード用コネクタへの装着を説明するための図である。
【図１６】第１のカードのカード用コネクタからの抜き出しを説明するための図である。
【符号の説明】
【００５７】
１０  第１のカード
２０  第２のカード
３０  カード用コネクタ
３１  カード挿入口
３２  カード収容空間
３５  カバー部材
４０  ハウジング
５０  底板部
５１  カード挿入口側底板部分
５２  奥側底板部分
５４  開口窓
６０，７０  側板部
８０  壁部
９０  第１のカード用コンタクト部材
９０ａ  コンタクト部
１００  第２のカード用コンタクト部材
１００ａ  コンタクト部
【図１】
2008077875.tif 000003
【図２】
2008077875.tif 000004
【図３】
2008077875.tif 000005
【図４】
2008077875.tif 000006
【図５】
2008077875.tif 000007
【図６】
2008077875.tif 000008
【図７】
2008077875.tif 000009
【図８】
2008077875.tif 000010
【図９】
2008077875.tif 000011
【図１０】
2008077875.tif 000012
【図１１】
2008077875.tif 000013
【図１２】
2008077875.tif 000014
【図１３】
2008077875.tif 000015
【図１４】
2008077875.tif 000016
【図１５】
2008077875.tif 000017
【図１６】
2008077875.tif 000018